(57)【要約】【課題】第２の支持部材を第１の支持部材に容易に固定することができるパネル用の固定装置を提供する。【解決手段】パネル用の固定装置１００は、設置面１２に固定され、第１の方向（Ｙ方向）に延びる複数の第１の支持部材１１０と、第１の方向と交差する第２の方向（Ｘ方向）に沿って少なくとも２つの第１の支持部材にわたって延び、第１の支持部材上に配置される第２の支持部材１２０と、を有する。第２の支持部材は、第１の支持部材の上面１１２に接する底部１２２と、底部の第１の方向における端部で底部から上方へ突出した突起部１２４と、を有する。第１の支持部材は、突起部が挿入される受け入れ部１７０を有する。受け入れ部１７０は、突起部を受け入れるための受け入れ口と、受け入れ部内の第２の支持部材の底部と当接する下部と、下部の上方で、突起部の上方側の先端と当接する上部１３２と、を有する。【選択図】図２
2018071045.tif 000002
【特許請求の範囲】
【請求項１】
設置面に固定され、第１の方向に延びる複数の第１の支持部材と、
前記第１の方向と交差する第２の方向に沿って少なくとも２つの前記第１の支持部材にわたって延び、前記第１の支持部材上に配置される第２の支持部材と、を有し、
前記第２の支持部材は、前記第１の支持部材の上面に接する底部と、前記底部の前記第１の方向における端部で前記底部から上方へ突出した突起部と、を有し、
前記第１の支持部材は、前記突起部が挿入される受け入れ部を有し、
前記受け入れ部は、前記突起部を受け入れるための受け入れ口と、前記受け入れ部内の前記第２の支持部材の前記底部と当接する下部と、前記下部の上方で、前記突起部の上方側の先端と当接する上部と、を有する、パネル用の固定装置。
【請求項２】
前記突起部は、前記底部から上方へ向かうにつれて先細りしている、請求項１に記載のパネル用の固定装置。
【請求項３】
前記受け入れ部の前記上部は、前記受け入れ口側に向かうにつれて前記下部に近づくように傾斜している、請求項１又は２に記載のパネル用の固定装置。
【請求項４】
前記受け入れ部は、前記上部の前記受け入れ口側に、前記下部に向けて突出する係合部を有する、請求項１から３のいずれか１項に記載のパネル用の固定装置。
【請求項５】
前記第１の支持部材は、前記受け入れ部の前記上部を構成している第１の固定部と、前記第２の支持部材の前記底部の、前記突起部を有する端部とは反対側の端部を、前記第１の支持部材の上面に押し付ける押付部を有する第２の固定部と、を含む、請求項１から４のいずれか１項に記載のパネル用の固定装置。
【請求項６】
前記第１の支持部材は、前記第１の方向に沿って延びるレール部を有し、
前記第１の固定部は、前記レール部に対して前記第１の方向に移動可能に構成されている、請求項５に記載のパネル用の固定装置。
【請求項７】
前記第２の固定部は、前記第１の固定部に固定され、前記第１の固定部と一緒に前記第１の方向へ移動可能に構成されている、請求項６に記載のパネル用の固定装置。
【請求項８】
前記押付部は、下方に局所的に突出した爪部を有する、請求項５から７のいずれか１項に記載のパネル用の固定装置。
【請求項９】
前記第２の固定部は、前記第１の支持部材の上面に支持される引掛部をさらに有し、
前記第１の固定部と前記第２の固定部とを締結する締結部材が設けられており、
少なくとも前記締結部材によって仮止めされた状態で、前記第１の固定部と前記第２の固定部との間に隙間が生じている、請求項５から８のいずれか１項に記載のパネル用の固定装置。
【請求項１０】
前記第１の固定部と前記第２の固定部とを締結する締結部材が設けられており、
前記第２の固定部は、前記締結部材が挿入される穴部を有し、
前記穴部は、前記第２の方向における前記締結部材の長さよりも前記第２の方向に長く延びている、請求項５から９のいずれか１項に記載のパネル用の固定装置。
【請求項１１】
パネル用の固定装置を設置する方法であって、
複数の第１の支持部材が第１の方向に沿うように、前記複数の第１の支持部材を設置面に固定する第１のステップと、
前記第１の方向と交差する第２の方向に沿って少なくとも２つの前記第１の支持部材にわたって延びるように、第２の支持部材を前記第１の支持部材上に配置する第２のステップと、を有し、
前記第２の支持部材は、前記第１の支持部材の上面に接する底部と、前記底部の前記第１の方向における端部で前記底部から上方へ突出した突起部と、を有し、
前記第１の支持部材は、前記突起部が挿入される受け入れ部を有し、
前記受け入れ部は、前記突起部を受け入れるための受け入れ口と、前記受け入れ部内の前記第２の支持部材の前記底部と当接する下部と、前記下部の上方で、前記突起部の上方側の先端と当接する上部と、を有し、
前記第２のステップは、前記突起部とは反対側の端部を上方へ上げるように前記第２の支持部材の前記底部を前記第１の支持部材の上面から傾斜させた状態で、前記突起部を前記受け入れ部内に挿入することと、前記第２の支持部材の前記底部が前記第１の支持部材の上面に密着するように前記第２の方向の周りに前記第２の支持部材を回転させることと、を含む、方法。
【請求項１２】
前記第１の支持部材は、前記第１の方向に沿って延びるレール部と、前記レール部に対して前記第１の方向に移動可能に構成された第１の固定部と、を含み、前記第１の固定部は、前記受け入れ部の前記上部を構成しており、
前記方法は、前記第２の支持部材の前記底部の、前記突起部を有する端部とは反対側の端部を、第２の固定部の押付部によって前記第１の支持部材の上面に押し付けるように、前記第２の固定部を前記第１の固定部に固定する第３のステップを有する、請求項１１に記載の方法。
【請求項１３】
パネルを設置する方法であって、
請求項１１又は１２に記載された方法によってパネル用の固定装置を設置面に設置するステップと、
前記第２の支持部材にパネルを設置するステップと、を有する、方法。
【発明の詳細な説明】
【技術分野】
【０００１】
本発明は、パネル用の固定装置、パネル用の固定装置を設置する方法、及びパネルを設置する方法に関する。
【背景技術】
【０００２】
近年、アレイ状に配置された複数の太陽電池モジュールが建造物の屋根のような場所に設置されることがある。太陽電池モジュールは、発電部を有する太陽電池パネルと、該太陽電池パネルの周端部を保持するフレームとを有する。太陽電池モジュールは、屋根に設置された固定装置にフレームを保持させることで屋根上に設置される。
【０００３】
下記特許文献１は、複数のパネル状の太陽電池モジュールを固定する固定装置を開示している。複数のパネル状の太陽電池モジュールは、縦方向及び横方向に複数配列している。固定装置は、縦方向（屋根の傾斜方向）に延びる複数の縦材と、複数の縦材にわたって横方向に延びる複数の横材と、を含む。複数の縦材は、屋根の設置面に固定されている。横材は、複数の縦材上に固定されている。各々の太陽電池モジュールは、縦方向に互いに隣接する２つの横材によって支持されている。
【０００４】
より具体的には、横材は、縦材に接する底面部を有しており、縦材は横材の底面部を挟み込んで固定するための引掛部を有する。引掛部は、横材の底面部を受け入れる開口部を形成している。横材の底面部を縦材の引掛部に引掛け、横材の底面部の別の部分と縦材の上面とを挟持部材により挟持しボルトを締結することにより、横材は縦材に固定される（特許文献１の図５Ｂ参照）。
【先行技術文献】
【特許文献】
【０００５】
【特許文献１】国際公開第２０１４／１０９１９４号
【発明の概要】
【発明が解決しようとする課題】
【０００６】
縦材の引掛部の高さ方向の長さ、すなわち横材の底面部を受け入れる開口部の高さ方向の長さが、横材の底面部の厚さよりも大きいと、横材の底面部が引掛部内で上下方向に動くことができてしまうため、横材にがたつきが生じてしまう。そのため、横材の底面部の厚さは、通常、横材が挿入される引掛部（開口部）の高さ方向の長さと実質的に同じである。
【０００７】
ここで、建造物の屋根のような設置面は平坦ではない場合が多く、設置面に不陸が存在することが多い。設置面に不陸が存在すると、複数の縦材の引掛部の高さレベルにばらつきが生じる。１つの横材は、複数の縦材にわたって延びており、複数の縦材の引掛部に固定される。複数の縦材の引掛部の高さレベルにばらつきがあると、横材の底面部の厚さが引掛部（開口部）の高さ方向の長さと実質的に同じであるため、複数の縦材の引掛部に１つの横材を容易に挿入できないことがある。
【０００８】
したがって、第２の支持部材（横材）を第１の支持部材（縦材）に容易に固定することができるパネル用の固定装置や、当該固定装置の設置方法等が望まれる。
【課題を解決するための手段】
【０００９】
一態様に係るパネル用の固定装置は、設置面に固定され、第１の方向に延びる複数の第１の支持部材と、第１の方向と交差する第２の方向に沿って少なくとも２つの第１の支持部材にわたって延び、第１の支持部材上に配置される第２の支持部材と、を有する。第２の支持部材は、第１の支持部材の上面に接する底部と、底部の第１の方向における端部で底部から上方へ突出した突起部と、を有する。第１の支持部材は、突起部が挿入される受け入れ部を有する。受け入れ部は、突起部を受け入れるための受け入れ口と、受け入れ部内の第２の支持部材の底部と当接する下部と、当該下部の上方で、突起部の上方側の先端と当接する上部と、を有する。
【００１０】
一態様に係るパネル用の固定装置を設置する方法は、複数の第１の支持部材が第１の方向に沿うように、複数の第１の支持部材を設置面に固定する第１のステップと、第１の方向と交差する第２の方向に沿って少なくとも２つの第１の支持部材にわたって延びるように、第２の支持部材を第１の支持部材上に配置する第２のステップと、を有する。第２の支持部材は、第１の支持部材の上面に接する底部と、底部の第１の方向における端部で底部から上方へ突出した突起部と、を有する。第１の支持部材は、突起部が挿入される受け入れ部を有する。受け入れ部は、突起部を受け入れるための受け入れ口と、受け入れ部内の第２の支持部材の底部と当接する下部と、当該下部の上方で、突起部の上方側の先端と当接する上部と、を有する。第２のステップは、突起部とは反対側の端部を上方へ上げるように第２の支持部材の底部を第１の支持部材の上面から傾斜させた状態で、突起部を受け入れ部内に挿入することと、第２の支持部材の底部が第１の支持部材の上面に密着するように第２の方向の周りに第２の支持部材を回転させることと、を含む。
【００１１】
一態様に係るパネルを設置する方法は、上記方法によってパネル用の固定装置を設置面に設置するステップと、第２の支持部材にパネルを設置するステップと、を有する。
【発明の効果】
【００１２】
上記態様によれば、第２の支持部材を第１の支持部材に容易に固定することができる。
【図面の簡単な説明】
【００１３】
【図１】第１の実施形態に係るパネル用の固定装置と、固定装置に設置されたパネルとを示す斜視図である。
【図２】図１の２Ａ−２Ａ方向に沿った固定装置の部分的断面図である。
【図３】固定装置を構成する第１の支持部材の斜視図である。
【図４】図２の領域４Ａの拡大図である。
【図５】第２の実施形態に係る固定装置の部分的断面図である。
【図６】第３の実施形態に係る固定装置の部分的断面図である。
【図７】第４の実施形態に係る固定装置の部分的断面図である。
【図８】第４の実施形態に係る固定装置を構成する第１の支持部材の斜視図である。
【図９】第４の実施形態に係る固定装置を構成する第２の固定部の斜視図である。
【図１０】第１の実施形態に係るパネル用の固定装置を設置する方法を説明するための図である。
【図１１】第１の実施形態に係るパネル用の固定装置を設置する方法を説明するための図である。
【図１２】第１の実施形態に係るパネル用の固定装置を設置する方法を説明するための図である。
【図１３】第４の実施形態に係るパネル用の固定装置を設置する方法を説明するための図である。
【図１４】第４の実施形態に係るパネル用の固定装置を設置する方法を説明するための図である。
【図１５】第４の実施形態に係るパネル用の固定装置を設置する方法を説明するための図である。
【図１６】パネルを設置する方法を説明するための図である。
【図１７】パネルを設置する方法を説明するための図である。
【発明を実施するための形態】
【００１４】
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００１５】
（１）第１の実施形態
図１は、第１の実施形態に係るパネル用の固定装置と、固定装置に設置されたパネルとを示す斜視図である。なお、図１では、後述する設置面、第１の支持部材及び第２の支持部材を示すため、一部のパネルは省略されている。図２は、図１の２Ａ−２Ａ方向に沿った固定装置の部分的断面図である。図３は、固定装置を構成する第１の支持部材の斜視図である。図４は、図２の領域４Ａの拡大図である。
【００１６】
第１の実施形態において、パネル用の固定装置１００は、例えば屋根のような設置面１２に固定される。固定装置１００は、複数のパネル２０を支持している。パネル２０は、例えば太陽電池モジュールであってよい。
【００１７】
固定装置１００は、複数の第１の支持部材１１０と、複数の第２の支持部材１２０と、を有する。第１の支持部材１１０は、第１の方向（Ｙ方向）に沿って延びており、設置面１２に固定される。第２の支持部材１２０は、第１の方向に交差する第２の方向（Ｘ方向）に沿って、少なくとも２つの第１の支持部材１１０にわたって延びている。第２の支持部材１２０は、第１の支持部材１１０上に配置される。
【００１８】
複数のパネル２０は、第１の方向（Ｙ方向）及び第２の方向（Ｘ方向）に沿って複数並んでいてよい。各々のパネル２０は、第１の方向に互いに隣接する第２の支持部材１２０どうしによって支持される。
【００１９】
なお、本実施形態では、第１の方向は、屋根の傾斜方向に相当し、第２の方向は、第１の方向に直交する方向（水平方向）に相当する。しかしながら、本発明はこれに限定されるわけではない。第１の方向と第２の方向は、複数のパネル２０を支持することができるかぎり、それぞれどの方向に沿っていてもよい。また、第１の方向と第２の方向とは、互いに直交している必要はなく、互いに交差していればよい。また、パネル用の固定装置１００は、屋根のような傾斜した設置面だけでなく、水平な設置面に固定することもできる。
【００２０】
複数の第２の支持部材１２０は、第１の方向における両端に配置された２つの支持部材１２０ａを除き、同一の構造を有していてよい。また、第１の方向における一方の端又は両端に配置された支持部材１２０ａは、第１の方向における両端以外の第２の支持部材１２０と同一の構造を有していてもよく、異なる構造を有していてもよい。
【００２１】
１つの第２の支持部材１２０は、第１の方向に互いに隣接する２つのパネル２０をそれぞれ積載する第１の積載面１２６ａ及び第２の積載面１２６ｂを有する。第２の支持部材１２０は、第１の支持部材１１０に接する底部１２２を有する。第１の積載面１２６ａ及び第２の積載面１２６ｂは、底部１２２よりも上方に位置していてよい。具体的には、第１の積載面１２６ａ及び第２の積載面１２６ｂは、それぞれ底部１２２から上方に延びる支持部分１２７ａ，１２７ｂによって底部１２２より上方に支持されている。また、第２の支持部材１２０は、第１の積載面１２６ａと第２の積載面１２６ｂとを仕切る側面当接部１２８を有していてよい。側面当接部１２８は、第１の方向に互いに隣接する一対のパネル２０の側面に当接する。
【００２２】
第２の支持部材１２０はフランジ１２９を有していてよい。フランジ１２９は、側面当接部１２８の上部から第１の方向の両側に突出する。本実施形態では、パネル２０の端部が、積載面１２６ａ，１２６ｂとフランジ１２９によって支持される。
【００２３】
第１の支持部材１１０は、設置面１２上に配置される不図示の固定金具や、例えばボルトのような不図示の締結部材によって設置面１２に固定することができる。複数の第１の支持部材１１０は、屋根の垂木に固定するために、一般に、垂木の間隔に合わせて配置されていてよい。
【００２４】
第１の支持部材１１０は、第１の方向に沿って延びるレール部１１１を含む。レール部１１１は、上面が開口した細長い中空の四角柱状に形成されていてよい。より具体的には、レール部１１１の上面には、第１の方向に沿って延びる開口が形成されていてよい。レール部の上面１１２は、開口を挟んで両側に位置している。レール部の上面１１２、すなわち第１の支持部材の上面は、第２の支持部材１２０を載せる面を構成する。
【００２５】
第２の支持部材の底部１２２は、レール部１１１の開口を跨って、レール部の上面１１２に載せられている。第２の支持部材１２０は、第１の方向における端部で底部１２２から上方へ突出した突起部１２４を有する。突起部１２４は、少なくとも２つの第１の支持部材１１０にわたって第２の方向に延びていてもよい。
【００２６】
第１の支持部材１１０は、突起部１２４が挿入される受け入れ部１７０を有する。受け入れ部１７０は、突起部１２４を受け入れるための受け入れ口を有する。さらに、受け入れ部１７０は、受け入れ部１７０内の第２の支持部材の底部１２２と当接する下部１１２と、当該下部の上方で、突起部１２４の上方側の先端と当接する上部１３２と、を有する。すなわち、第２の支持部材１２０は、突起部１２４のところで、受け入れ部の上部１３２と受け入れ部の下部１１２との間に圧接されている。言い換えると、突起部１２４の高さ方向の長さは、突起部１２４が存在するところにおける受け入れ部の上部１３２と下部１１２との間の距離と実質的に同じである。なお、受け入れ口のところでは、受け入れ部の上部１３２と第２の支持部材の底部１２２は当接していない。また、１つの第２の支持部材１２０が置かれる少なくとも２つの第１の支持部材１１０において、同様の構成を有する受け入れ部１７０が設けられている。上記構成により、設置面１２に不陸が存在する場合であっても、後述するように第２の支持部材１２０を第１の支持部材１１０に容易に固定することができる。
【００２７】
図４に示すように、突起部１２４は、底部１２２から上方へ向かうにつれて先細りしていることが好ましい。突起部１２４の上方側の先端が細いと、突起部１２４を受け入れ部１７０内に挿入し易くなる。また、突起部１２４の根本が太いと、負荷によって突起部１２４が変形又は破壊されることを抑制することができる。
【００２８】
第１の支持部材１１０は、第１の固定部１３０及び第２の固定部１４０を含んでいてよい。第１の固定部１３０及び／又は第２の固定部１４０は、レール部１１１に対して着脱可能に構成されていてもよく、レール部１１１に対して着脱不能に構成されていてもよい。本実施形態において、第１の固定部１３０は、受け入れ部の上部１３２を構成している。なお、受け入れ部１７０の下部は、レール部１１１の上面によって構成されている。
【００２９】
第１の固定部１３０は、受け入れ部の上部１３２からレール部の上面１１２よりも下方に延びており、レール部の上面よりも下方で第１の方向に沿って延びていてよい。
【００３０】
第２の固定部１４０は、第２の支持部材の底部１２２の、突起部１２４を有する端部とは反対側の端部を、第１の支持部材の上面１１２に押し付ける押付部１４２を有する。言い換えると、第２の支持部材の底部１２２の、突起部１２４を有する端部とは反対側の端部は、第２の固定部１４０の押付部１４２と、第１の支持部材１１０の上面、すなわちレール部１１１の上面との間に挟まれている。
【００３１】
第２の固定部１４０は、レール部１１１の上面の下方に延びており、レール部１１１の上面の下方で第１の固定部１３０と接している。第２の固定部１４０は第１の固定部１３０に固定されている。具体的には、第１の固定部１３０及び第２の固定部１４０は、同じ位置に、例えばボルトのような締結部材１６０が挿入される穴部１３８，１４８を有し（図１２も参照）、締結部材１６０によって互いに固定されている。
【００３２】
好ましくは、第１の固定部１３０は、レール部１１１に対して第１の方向へ移動可能に構成されている。より好ましくは、第２の固定部１４０は、第１の固定部１３０と一緒に第１の方向へ移動可能に構成されている。
【００３３】
具体的一例として、レール部１１１の側面１１７は、第１の方向に沿って延びる穴部１１８を有する。第１の固定部１３０と第２の固定部１４０の少なくとも一方は、第２の方向に突出した突出部１３６を有する。なお、図３では、１つの穴部１１８と１つの突出部１３６のみが示されているが、図３で示されたレール部１１１の一側面１１７とは反対側の側面側に、同様の不図示の穴部と突出部が設けられている。これらの不図示の穴部と突出部は、図示された穴部１１８と突出部１３６に対して第１の方向にずれた位置に設けられていることが好ましい。レール部１１１に形成された穴部１１８は、突出部１３６よりも第１の方向に長く延びている。これにより、第１の固定部１３０及び第２の固定部１４０は、第２の支持部材１２０とともに、レール部１１１に沿って移動可能となっている。第２の支持部材１２０がレール部１１１に沿って移動可能となっていることにより、第２の支持部材１２０にパネル２０を設置し易くすることができる。
【００３４】
（２）第２の実施形態
第２の実施形態について、図５を参照して説明する。以下、第１の実施形態の同様の構成については、同様の符号を付し、その説明を省略する。図５は、第２の実施形態に係る固定装置の部分的断面図である。図５は、図２の領域４Ａに相当する領域の拡大図である。
【００３５】
第２の実施形態では、受け入れ部１７０は、上部１３２の受け入れ口側に、下部に向けて突出する係合部１３２ａを有する。具体的には、受け入れ部１７０の、受け入れ口側の縁における高さＬ２は、受け入れ部１７０の、受け入れ口から遠い側の縁における高さＬ１よりも小さい。これにより、一端挿入された突起部１２４は、第２の支持部材１２０を第１の方向に真っ直ぐ引っ張っただけでは抜けにくくなっている。したがって、例えばパネルを固定装置に取り付ける作業中に、第２の支持部材が不意に第１の支持部材から外れることを抑制することができる。
【００３６】
また、図５に示すように、第２の支持部材１２０の底部１２２の突起部１２４は、第２の方向に垂直な断面で台形の形状を有していてもよい。より具体的には、突起部１２４は、底部１２２から上方へ向かうにつれて先細りした台形形状であってよい。
【００３７】
（３）第３の実施形態
第３の実施形態について、図６を参照して説明する。以下、第１の実施形態の同様の構成については、同様の符号を付し、その説明を省略する。図６は、第３の実施形態に係る固定装置の部分的断面図である。図６は、図２の領域４Ａに相当する領域の拡大図である。
【００３８】
第３の実施形態では、受け入れ部１７０の上部１３２は、受け入れ口側に向かうにつれて下部１１２に近づくように傾斜している。これにより、第２の実施形態と同様に、受け入れ部１７０の、受け入れ口側の縁における高さＬ２は、受け入れ部１７０の、受け入れ口から遠い側の縁における高さＬ１よりも小さくなっている。したがって、一端挿入された突起部１２４は、第２の支持部材１２０を第１の方向に真っ直ぐ引っ張っただけでは抜けにくくなっている。したがって、例えばパネルを固定装置に取り付ける作業中に、第２の支持部材が不意に第１の支持部材から外れることを抑制することができる。
【００３９】
（４）第４の実施形態
第４の実施形態について、図７〜図９を参照して説明する。以下、第１の実施形態の同様の構成については、同様の符号を付し、その説明を省略することがある。図７は、第４の実施形態に係る固定装置の部分的断面図である。図８は、第４の実施形態に係る固定装置を構成する第１の支持部材の斜視図である。図９は、第４の実施形態に係る固定装置を構成する第２の固定部の斜視図である。
【００４０】
第４の実施形態において、第１の実施形態と同様に、固定装置１００は、第１の支持部材１１０と第２の支持部材１２０とを有する。第２の支持部材１２０の構造は、第１〜第３の実施形態と同じであってよい。
【００４１】
第１の支持部材１１０は、第１の固定部１３０及び第２の固定部１４０を含んでいる。第１の固定部１３０の構造は、第１の実施形態と同じであってよい。第２の固定部１４０の構造は、第１の実施形態と異なっている。
【００４２】
第２の固定部１４０は、第２の支持部材１２０の底部１２２の、突起部１２４を有する端部とは反対側の端部を、第１の支持部材の上面１１２に押し付ける押付部１４２を有する。押付部１４２は、第１の方向（図９のＸ方向）における両端部で、下方に局所的に突出した爪部１４３を有する。第２の固定部１４０が締結部材１６０によって固定されたときに、押付部１４２の爪部１４３が第１の支持部材１１０の上面１１２に局所的に強く力を加えることで、第２の支持部材１２０を第１の支持部材１１０へしっかりと固定することができる。
【００４３】
また、第２の固定部１４０は、第２の方向（図７のＹ方向）において押付部１４２とは反対側で、第１の支持部材１１０の上面１１２の上に支持される引掛部１４４を有していてもよい。この場合、第２の固定部１４０は、押付部１４２及び引掛部１４４によって第１の支持部材１１０の上面１１２の上に保持された状態となる。
【００４４】
第２の固定部１４０が締結部材１６０でしっかりと固定されていない状態において、第１の固定部１３０と第２の固定部１４０との間には、微小な隙間Ｇが設けられていてよい。この場合、第２の固定部１４０を締結部材１６０でしっかりと固定した場合に、第２の固定部１４０に下方に向かう力がより加わり易くなるため、第２の固定部１４０の押付部１４２が第２の支持部材１２０の底部１２２を固定する力が増す。
【００４５】
なお、第２の固定部１４０が締結部材１６０でしっかりと固定された場合であっても、第１の固定部１３０と第２の固定部１４０との間に隙間Ｇが存在していてよい。この代わりに、第２の固定部１４０が締結部材１６０でしっかりと固定された場合に、部分的又は全体的に隙間Ｇがなくなってもよい。
【００４６】
第２の固定部１４０は、締結部材１６０が挿入される穴部１４８を有する（図９参照）。穴部１４８は、第２の方向（Ｙ方向）における締結部材１６０の長さよりも、第２の方向に長く延びていてよい。これにより、締結部材１６０による固定を緩めた状態（仮止状態）において、第２の固定部１４０は、レール部１１１及び第１の固定部１３０に対して第２の方向に移動可能に構成される。この場合、第２の固定部１４０をレール部１１１及び第１の固定部１３０から完全に取り外すことなく、第２の固定部１４０が予めレール部１１１及び第１の固定部１３０に仮止めした状態で、固定装置１００を設置面に設置する作業を行うことができる。
【００４７】
（５）第１の実施形態に係るパネル用の固定装置を設置する方法
次に、パネル用の固定装置を設置する方法について、図１０から図１２を用いて説明する。まず、一方向に延びる複数の第１の支持部材１１０及び一方向に延びる第２の支持部材１２０を準備する。第１の支持部材１１０及び第２の支持部材１２０は、第１の実施形態で説明したものと同様である。この代わりに、第１の支持部材１１０及び第２の支持部材１２０として第２及び第３の実施形態で説明したものと同様のものを用いることもできる。
【００４８】
次に、第１のステップにおいて、複数の第１の支持部材１１０が第１の方向に沿うように、複数の第１の支持部材１１０を設置面１２に固定する。複数の第１の支持部材１１０は、互いに平行に、間隔をあけて設置面１２に固定される。第１の支持部材１１０は、設置面１２上に配置される不図示の固定金具や、例えばボルトのような不図示の締結部材によって設置面１２に固定されてよい。好ましい一態様では、第１の支持部材１１０は、屋根の垂木に固定するために、垂木の間隔に合わせて配置される。
【００４９】
本態様では、第１の支持部材１１０を設置面に固定する際、まず第１の支持部材１１０のレール部１１１を設置面１２に固定し、それから第１の固定部１３０をレール部１１１に取り付ければよい。この代わりに、可能であれば、第１の固定部１３０を予めレール部１１１に取り付けた状態で、レール部１１１を設置面に固定してもよい。
【００５０】
次に、第２のステップにおいて、第１の方向と交差する第２の方向に沿って少なくとも２つの第１の支持部材１１０にわたって延びるように、第２の支持部材１２０を第１の支持部材１１０上に配置する。
【００５１】
第２のステップは、突起部１２４とは反対側の端部を上方へ上げるように第２の支持部材１２０の底部１２２を第１の支持部材１１０の上面１１２から傾斜させた状態で、突起部１２４を受け入れ部１７０内に挿入することと、第２の支持部材１２０の底部１２２が第１の支持部材１１０の上面１１２に密着するように第２の方向の周りに第２の支持部材１２０を回転させることと、を含む（図１０参照）。なお、第２のステップでは、１つの第２の支持部材１２０が置かれるすべての第１の支持部材１１０の受け入れ部１７０に、当該第２の支持部材１２０の突起部１２４を挿入する。
【００５２】
第２のステップによれば、第２の支持部材１２０を傾けることによって突起部１２４の先端から突起部１２４を受け入れ部１７０内に挿入する。したがって、設置面１２の不陸によって複数の第１の支持部材１１０の受け入れ部１７０の高さレベルにばらつきが生じている場合であっても、突起部１２４を受け入れ部１７０に挿入し易い。また、第２の支持部材１２０の底部１２２の下面の、突起部１２４側の縁（図１０の点Ｐ）が、第１の支持部材１１０に当接した状態で、突起部１２４の上方側の先端が受け入れ部の上部１３２を上方に押し上げる方向に力をかけつつ、突起部１２４が受け入れ部１７０内に挿入される。したがって、複数の第１の支持部材１１０の受け入れ部１７０の高さレベルにばらつきが生じている場合であっても、第２の支持部材１２０の突起部１２４及び底部１２２を受け入れ部１７０内に容易に挿入することができる。
【００５３】
次に、第３のステップにおいて、第２の支持部材の底部１２２の、突起部１２４を有する端部とは反対側の端部を、第２の固定部１４０の押付部１４２によって第１の支持部材１１０の上面１１２に押し付けるように、第２の固定部１４０を第１の固定部１３０に固定する（図１１参照）。なお、図１２に示すように、例えば締結部材１６０によって、第１の固定部１３０と第２の固定部１４０とは互いに締結される。
【００５４】
（６）第４の実施形態に係るパネル用の固定装置を設置する方法
次に、パネル用の固定装置を設置する別の方法について、図１３から図１５を用いて説明する。なお、前述したパネル用の固定装置を設置する方法と同様の構成については説明を省略することがある。
【００５５】
まず、一方向に延びる複数の第１の支持部材１１０及び一方向に延びる第２の支持部材１２０を準備する。第１の支持部材１１０及び第２の支持部材１２０は、第４の実施形態で説明したものと同様である。
【００５６】
次に、第１のステップにおいて、複数の第１の支持部材１１０が第１の方向に沿うように、複数の第１の支持部材１１０を設置面１２に固定する。複数の第１の支持部材１１０は、互いに平行に、間隔をあけて設置面１２に固定される。
【００５７】
本態様では、第１の支持部材１１０を設置面に固定する際、第１の固定部１３０及び第２の固定部１４０を予めレール部１１１に取り付けた状態で、レール部１１１を設置面に固定することができる。より具体的には、第２の固定部１４０は、締結部材１６０によってレール部１１１及び第１の固定部１３０に仮止めされた状態となっている。
【００５８】
次に、第２のステップにおいて、第１の方向と交差する第２の方向に沿って少なくとも２つの第１の支持部材１１０にわたって延びるように、第２の支持部材１２０を第１の支持部材１１０上に配置する。第２のステップは、突起部１２４とは反対側の端部を上方へ上げるように第２の支持部材１２０の底部１２２を第１の支持部材１１０の上面１１２から傾斜させた状態で、突起部１２４を受け入れ部１７０内に挿入することと、第２の支持部材１２０の底部１２２が第１の支持部材１１０の上面１１２に密着するように第２の方向の周りに第２の支持部材１２０を回転させることと、を含む（図１３参照）。
【００５９】
次に、第３のステップにおいて、第２の支持部材の底部１２２の、突起部１２４を有する端部とは反対側の端部を、第２の固定部１４０の押付部１４２によって第１の支持部材１１０の上面１１２に押し付けるように、第２の固定部１４０を第１の固定部１３０に固定する（図１４参照）。
【００６０】
第４の実施形態で説明したように、第２の固定部１４０は、締結部材１６０によって仮止めされた状態において、レール部１１１及び第１の固定部１３０に対して第２の方向（Ｙ方向）に移動可能に構成されていてよい。この場合、第２の固定部１４０がレール部１１１及び第１の固定部１３０に仮止めされた状態で、第２の固定部１４０を第２の支持部材１２０の底部１２２に向けて移動させることで、第２の固定部１４０の押付部１４２を第２の支持部材１２０の底部１２２の上に配置させることができる（図１４及び図１５参照）。それから、締結部材１６０によって第２の固定部１４０をしっかりと固定することによって、押付部１４２が、第２の支持部材１２０の底部１２２を、第１の支持部材１１０の上面に押し付ける。このようにして、第２の固定部１４０をレール部１１１及び第１の固定部１３０から完全に取り外すことなく、固定装置１００を設置面に設置する作業を行うことができる。
【００６１】
（７）パネルを設置する方法
次に、パネルを設置する方法について説明する。パネルを設置する方法は、前述したようにパネル用の固定装置を設置する方法によってパネル用の固定装置を設置面に固定するステップと、第２の支持部材にパネルを設置するステップと、を有する。
【００６２】
複数の第２の支持部材１２０をすべて第１の支持部材１１０上に配置した後に、第２の支持部材１２０に複数のパネルを設置してもよい。この代わりに、ある１つの第２の支持部材１２０を第１の支持部材１１０上に配置した後に、当該第２の支持部材１２０の第１の積載面１２６ａ及び第２の積載面１２６ｂ上にそれぞれパネルを積載し、それから次の第２の支持部材１２０を第１の支持部材１１０に配置してもよい。この場合、第２の支持部材１２０の配置とパネルの設置を、第１の方向に沿って順番に実施することができる。
【００６３】
図１６に示すように、第２の支持部材１２０にパネルを積載する場合、まず、第１の積載面１２６ａ上に第１のパネル２０ａの一端部を置く。この際、第１のパネル２０ａのもう一方の端部は、別の第２の支持部材の第２の積載面に積載された状態であってよい。次に、第１の支持部材１１０のレール部に対して、第１の固定部１３０、第２の固定部１４０及び第２の支持部材１２０を、第１の積載面１２６ａ上に置かれた第１のパネル２０ａの方へ第１の方向に沿って移動させる。これにより、第１のパネル２０ａの端部を、第１の積載面１２６ａとフランジ１２９とによって容易に挟持させることができる。
【００６４】
次に、図１７に示すように、第２のパネル２０ｂの一端部を第２の支持部材１２０の第２の積載面１２６ｂ上に置く。この際、第２のパネル２０ｂのもう一方の端部は、別の第２の支持部材に支持されていない状態であることが好ましい。これにより、第２のパネル２０ｂの一端部を第２の積載面１２６ｂとフランジ１２９によって支持させることができる。
【００６５】
なお、設置すべきパネルの数に応じて上記のようなパネルを支持するプロセスを繰り返すことによって、すべてのパネルを固定装置に固定することができる。
【００６６】
上述したように、実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【００６７】
例えば、上述した実施形態では、パネル用の固定装置は、複数のパネルを固定する装置であった。この代わりに、本発明の固定装置は、１つのパネルを固定する装置であってもよい。
【００６８】
また、上述した実施形態では、第２の支持部材１２０の突起部１２４は、底部１２２から上方へ向かうにつれて先細りした形状であった。この代わりに、突起部１２４は、第２の方向に沿った断面で、長方形の形状を有していてもよい。
【符号の説明】
【００６９】
１２      設置面
２０      パネル
１００    固定装置
１１０    第１の支持部材
１２０    第２の支持部材
１２４    突起部
１３０    第１の固定部
１４０    第２の固定部
１６０    締結部材
１７０    受け入れ部
【図１】
2018071045.tif 000003
【図２】
2018071045.tif 000004
【図３】
2018071045.tif 000005
【図４】
2018071045.tif 000006
【図５】
2018071045.tif 000007
【図６】
2018071045.tif 000008
【図７】
2018071045.tif 000009
【図８】
2018071045.tif 000010
【図９】
2018071045.tif 000011
【図１０】
2018071045.tif 000012
【図１１】
2018071045.tif 000013
【図１２】
2018071045.tif 000014
【図１３】
2018071045.tif 000015
【図１４】
2018071045.tif 000016
【図１５】
2018071045.tif 000017
【図１６】
2018071045.tif 000018
【図１７】
2018071045.tif 000019